(57)【特許請求の範囲】
【請求項１】
ディスクに所定のレーザー光を照射する光ピックアップと、該光ピックアップを支持して前記ディスクの径方向に移動せしめる光ピックアップ移動機構と、前記ディスクを保持してこれを回転駆動するスピンドルモータと、ベースとを備えた光ディスク装置において、
前記ベースに固定され、前記光ピックアップを支持するガイド部材の少なくとも一方の端部を前記光ピックアップの移動方向と略垂直な方向へ昇降自在に案内する支持部材と、
前記ベースに固定され、前記光ピックアップの移動方向と略垂直な面に平行で前記ガイド部材の前記端部と係合するガイド先端保持部を有し、該ガイド先端保持部を前記ベースから離間する方向に付勢する弾性部材と、
前記弾性部材を挿通して前記ベースに螺合する調整ねじと
を有し、
前記調整ねじの締め付け量により、前記ガイド部材の前記端部を前記光ピックアップの移動方向と略垂直な方向へ昇降移動することを特徴とする光ディスク装置。
【請求項２】
前記ガイド部材の前記端部を前記ガイド先端保持部の係合部の一方向にその弾性力で付勢するガイド押圧部を、前記ガイド先端保持部に設けたことを特徴とする請求項１記載の光ディスク装置。
【請求項３】
前記ガイド部材の前記端部を前記ガイド先端保持部に係合させた後、外部からの作用で塑性変形することにより前記端部を前記ガイド先端保持部の係合部の一方向に付勢するガイド押圧部を、前記ガイド先端保持部に設けたことを特徴とする請求項１記載の光ディスク装置。
【請求項４】
前記支持部材を前記ベースと一体化したことを特徴とする請求項１記載の光ディスク装置。
【発明の詳細な説明】
【０００１】
【発明の属する技術分野】
本発明は、光ディスク装置に関し、特に光ピックアップの移動をガイドするガイド部材の取付け調整機構を有する光ディスク装置に関する。
【０００２】
【従来の技術】
近年、ディスクの高密度化に対応するため、これらのディスクを用いて記録、再生する際には、ディスクの信号記録面と光ピックアップの光軸との垂直度を、従来のディスク装置に比べてより高精度に保つよう装置を構成する必要がある。しかし、部品単品の精度を向上させて組み立てるだけでは要求精度を満たすことが出来ないため、現状の装置では、製品内部に調整機構を設け、組み立て後に傾き調整を実施する方法が取られている。
【０００３】
図１３〜図１５は、特開平１０−１２５０１６に示されたディスクドライブ装置のガイド部材調整機構をそれぞれ示す。図１３は、ディスクの載置面を下方に向けて配置した状態を示す装置の全体斜視図、図１４はガイド部材調整機構の断面図、そして図１５はガイド部材調整機構の分解斜視図である。
【０００４】
図１３に示すように、ベース１１６の裏面にブラケット１０４が固定されている。光ピックアップ１０８を搭載した移動ベース１１８は、一対のガイド部材１１４および１１５に案内される。一方のガイド部材１１４の両端は、ブラケット１０４に設けられた支持体１０４ａ，１０４ｂに固定されている。ブラケット１０４には、トラッキングモータ１２５、減速ギア列１２６、及び送りスクリュー軸１２７が支持されており、移動ベース１１８に板ばね１２８を介して支持された雌ネジ部材１２９が前記送りスクリュー軸１２７に螺合している。移動ベース１１８が摺動するＸ軸方向の一方の端には、調整台座１３０にスピンドルモータ１１１が固定され、その回転軸１１１ａがベース１１６の表面側（Ｚ軸の（−）方向）に突出して、この回転軸１１１ａの先端にディスク１０１を載置するターンテーブル１１３が固定されている。
【０００５】
図１４に示すように、ガイド部材１１５の両端部は、保持部材１２１及び１２２にそれぞれ保持されて固定されている。保持部材１２１，１２２の互いに向き合う面には、保持穴１２１ａ，１２２ａが形成されており、この保持穴１２１ａ，１２２ａにガイド部材１１５の端部がそれぞれ嵌入して固定されている。保持部材１２１，１２２の内部には、Ｚ軸方向に延びるネジ挿通用の小孔１２１ｂ，１２２ｂ、及びガイド穴となる大孔１２１ｃ，１２２ｃがそれぞれ形成されている。小孔１２１ｂ，１２２ｂは、保持部材１２１，１２２の上端に開口し、大孔１２１ｃ，１２２ｃは下端に開口している。
【０００６】
ベース１１６には一対の支持台１３４，１３４が固定されている。支持台１３４，１３４の下端には、かしめ部１３４ｂ，１３４ｂが一体に突設されており、このかしめ部１３４ｂ，１３４ｂが、ベース１１６に穿設された取付け孔１１６ａ，１１６ａに挿入され、ベース１１６の裏面でかしめられて固定されている。保持部材１２１，１２２のガイド穴となる前記大孔１２１ｃ，１２２ｃは、各々円筒状支持台１３４，１３４に隙間なく且つ摺動自在に凹凸嵌合し、保持部材１２１，１２２は、各々支持台１３４，１３４に対してＺ軸方向へ摺動自在に案内されている。
【０００７】
ベース１１６上の一対の支持台１３４の近傍には、付勢部材としての板ばね１２３がかしめなどの固定手段によってそれぞれ取付けられている。各板ばね１２３は、薄い金属製板ばね材をプレス加工して形成されたものであり、図１５に示す様に上方（Ｚ軸の（＋）方向）に折り曲げられたアーム部１２３ａを有し、その先端部が支持部１２３ｂとなっている。支持部１２３ｂは、円弧状に形成され、その曲率半径は支持台１３４の外径よりも大きく形成され、保持部材１２１，１２２の下面に弾圧されている。従って、板ばね１２３は、折り曲げられた根元部分を中心にアーム部１２３ａがＺ軸の（＋）方向に弾性力を発揮し、支持台１３４に外挿される保持部材１２１，１２２は、Ｚ軸の（＋）方向へ付勢されている。
【０００８】
また、保持部材１２１，１２２の上方からは、調整ネジ１２４が小孔１２１ｂ，１２２ｂ内に挿入され、支持台１３４，１３４に形成されているネジ孔１３４ａに螺着されている。この調整ネジ１２４を締め付けることにより、各保持部材１２１，１２２はベース１１６に近づく方向（Ｚ軸の（−）方向）に調整でき、反対に調整ネジ１２４を弛めると、板ばね１２３の付勢力により保持部材１２１，１２２は持ち上げられ、Ｚ軸の（＋）方向へ位置を調整できる。よって、調整ネジ１２４の回転により、保持部材１２１，１２２をＺ軸方向に昇降させることができ、ガイド部材１１５の高さ調整をすることが可能となる。
【０００９】
なお、保持部材１２１と１２２の下部には、側方への突出部１２１ｄ，１２２ｄが一体に設けられ、その底面にＺ軸の（−）方向に伸びる円筒状の小凸部１２１ｅ，１２２ｅが一体に形成されている。ベース１１６には、前記小凸部１２１ｅ，１２２ｅが挿通可能な小穴１１６ｂ，１１６ｂが形成されている。保持部材１２１，１２２のベース１１６に対する高さ調整が行われる際、小凸部１２１ｅと１２２ｅとが小穴１１６ｂ，１１６ｂ内に位置して昇降し、保持部材１２１，１２２の孔１１６ａを中心とした回転が阻止され、保持穴１２１ａ，１２２ａが互いに向き合った状態が維持される。
【００１０】
【発明が解決しようとする課題】
光ピックアップ１０８、スピンドルモータ１１１を搭載するベース１１６の平面的な大きさは、ディスク１０１の大きさとそれを径方向に走査する光ピックアップ１０８の大きさによりその概略寸法が決められる。このベース１１６を小型化するには、光ピックアップ１０８、またはこれをディスク径方向に駆動する光ピックアップ移動機構を小型化して構成する必要がある。
【００１１】
特に１台の装置内に複数枚のディスクをストックし、これらを順次交換しながら、ディスクの記録・再生を実施するディスクチェンジャー機構においては、ベース１１６を装置内で可動とするものが多く、その寸法は小さいほど望ましい。また、ベース１１６上に構成する光ピックアップ移動機構は、ディスク交換機構との構造上の干渉を回避しながら装置全体を小型化するために、その配置に自由度のあるものがより望ましい。
【００１２】
しかながら、図１３〜図１５に示した光ピックアップ移動機構の一つであるガイド部材調整機構においては、ガイド部材１１５を、保持部材１２１，１２２で保持してこれをＺ軸方向に調整可能に軸支する構造上、保持部材１２１，１２２を、光ピックアップ１０８の可動範囲外のガイド部材１１５の長手方向（Ｘ軸方向）両端部に配置する必要がある。この保持部材１２１，１２２を支持台１３４にねじ止めする本機構では、調整ねじ１２４をガイド部材１１５の長手方向（Ｘ軸方向）に配置するため、ガイド部材調整機構の長手方向（Ｘ軸方向）の寸法を短縮することが難しく、調整ねじ１２４の配置も図１３〜図１５に示した位置から大きく変更できないという問題が発生する。
【００１３】
また保持部材１２１，１２２を、これとは別体の板ばね１２３で付勢しているため、部品点数が増え、組立て工程が増えるという問題がある。さらにガイド部材１１５の保持を、保持部材１２１，１２２の保持穴１２１ａ，１２２ａとガイド部材１１５の両端部のはめ合いで実施しているため、部品公差のばらつきにより両者のすきまが大きくなると、ガイド部材１１５が保持部材１２１，１２２に対してガタつき、その位置決めが不安定になるという問題が発生する。
【００１４】
本発明は、上記のような問題点を解消するためになされたもので、ベース寸法、特にガイド部材の長手方向（Ｘ軸方向）の寸法を短縮し、ガイド部材調整機構の配置設計の自由度を高め、部品点数を削減し、かつ安定した位置決めが得られるガイド部材調整機構を得ることを目的とする。
【００１５】
【課題を解決するための手段】
請求項１の光ディスク装置は、ディスクに所定のレーザー光を照射する光ピックアップと、該光ピックアップを支持して前記ディスクの径方向に移動せしめる光ピックアップ移動機構と、前記ディスクを保持してこれを回転駆動するスピンドルモータと、ベースとを備えた光ディスク装置であって、
前記ベースに固定され、前記光ピックアップを支持するガイド部材の少なくとも一方の端部を前記光ピックアップの移動方向と略垂直な方向へ昇降自在に案内する支持部材と、前記ベースに固定され、前記光ピックアップの移動方向と略垂直な面に平行で前記ガイド部材の前記端部と係合するガイド先端保持部を有し、該ガイド先端保持部を前記ベースから離間する方向に付勢する弾性部材と、前記弾性部材を挿通して前記ベースに螺合する調整ねじとを有し、
前記調整ねじの締め付け量により、前記ガイド部材の前記端部を前記光ピックアップの移動方向と略垂直な方向へ昇降移動することを特徴とする。
【００１６】
請求項２の光ディスク装置は、請求項１記載の光ディスク装置において、前記ガイド部材の前記端部を前記ガイド先端保持部の係合部の一方向にその弾性力で付勢するガイド押圧部を、前記ガイド先端保持部に設けたことを特徴とする。
また、請求項３の光ディスク装置は、請求項１記載の光ディスク装置において、前記ガイド部材の前記端部を前記ガイド先端保持部に係合させた後、外部からの作用で塑性変形することにより前記端部を前記ガイド先端保持部の係合部の一方向に付勢するガイド押圧部を、前記ガイド先端保持部に設けたことを特徴とする。
更に、請求項４の光ディスク装置は、請求項１記載の光ディスク装置において、前記支持部材を前記ベースと一体化したことを特徴とする。
【００１７】
【発明の実施の形態】
実施の形態１．
図１から図５は、本発明による光ディスク装置の駆動機構部におけるガイド部材調整機構の実施の形態１の構成を示した図で、図１はこのガイド部材調整機構２を含む駆動機構部１を裏面から見た全体斜視図、図２は図１の分解斜視図、図３は図１のガイド部材の支持構造を示す要部斜視図、図４は図１の一つのガイド部材調整部を示す斜視図、そして図５は図１のもう一つのガイド部材調整部を示す斜視図である。
尚、これらの各図に示されるＸ，Ｙ，Ｚの各軸の方向は、各図間で共通するように設定している。
【００１８】
駆動機構部１の構成を示す図１、図２において、スピンドルモータ１１は、かしめ等の方法によりベース１６に固定された支持台３５ａ，３５ｂ，３５ｃを介して、止めねじ３６ａ，３６ｂ，３６ｃによりベース１６に固定されている。光ピックアップ８には、板ばね６１、与圧ばね６３がそれぞれ止めねじ６２，６４によって固定され、光ピックアップ８はこれら板ばね６１、与圧ばね６３がそれぞれガイド部材１４、１５に接する形で移動可能に支持されている。
尚、光ピックアップ８の移動方向にＹ軸を設定し、このＹ軸と直交する、スピンドルモータ１１の回転軸方向にＺ軸を設定し、そしてこれら両軸に直交する方向にＸ軸を設定する。
【００１９】
ガイド部材１５は、図３に示すようにその端部１５ａが、支持部材４１の板状のガイド支持部４１ａに設けたガイド穴４１ｂと係合し、同様にもう一つの端部１５ｂ（図２）が、支持部材４２の板状のガイド支持部４２ａに設けたガイド穴４２ｂ（図２）と係合し、Ｚ軸方向に昇降自在に支持されている。支持部材４１は、止めねじ４３ａ、４３ｂによりベース１６に固定され、支持部材４２も、図示しない止めねじにより同様にベース１６に固定されている。
【００２０】
図４に示す弾性部材５１は、薄い金属製板ばね材をプレス加工して形成したものであり、そのガイド先端保持部５１ａに設けたガイド係合部５１ｂと前記ガイド部材端部１５ａとがＺ軸方向にすきまなく係合している。弾性部材５１は、固定部５１ｄにおいて、止めねじ５５ａ、５５ｂによりベース１６にねじ止め固定される。弾性部材５１は、そのばね部５１ｃが単体の状態からＺ軸（−）方向に変位したときにＺ軸（＋）方向にばね力を発生するよう構成されており、調整ねじ５３は、弾性部材５１のばね部５１ｃに設けた穴５１ｆ（図２）を挿通し、ばね部５１ｃを単体の状態からＺ軸（−）方向に変位させながら、ベース１６に設けた雌ねじ部１６ｃに螺合している。
【００２１】
図５に示す弾性部材５２も、薄い金属製板ばね材をプレス加工して形成したものであり、そのガイド先端保持部５２ａに設けたガイド係合部５２ｂと前記ガイド部材端部１５ｂがＺ方向にすきまなく係合している。弾性部材５２は、固定部５２ｄにおいて、止めねじ５６ａ、５６ｂによりベース１６にねじ止め固定される。弾性部材５２は、そのばね部５２ｃが単体の状態からＺ軸（−）方向に変位したときにＺ軸（＋）方向にばね力を発生するよう構成されており、調整ねじ５４は、弾性部材５２のばね部５２ｃに設けた穴５２ｆ（図２）を挿通し、ばね部５２ｃを単体の状態からＺ軸（−）方向に変位させながら、ベース１６に設けた雌ねじ部１６ｄに螺合している。
【００２２】
この弾性部材５２の場合、ガイド先端保持部５２ａと、ばね部５２ｃ及び固定部５２ｄとが、略Ｌ字状に形成され、止めねじ５６ａ、５６ｂ及び調整ねじ５４がガイド部材１５の脇に略平行して配置されている。
【００２３】
尚、もう一方のガイド部材１４においても、ガイド部材１５と同様にその端部１４ａ，１４ｂが、各々図示しない支持部材及び弾性部材によって支持されるが、それらは、ガイド部材１５の場合と略同様に構成されるため、それらについての説明を省略する。
【００２４】
次に、以上のようにガイド部材１５、支持部材４１，４２、弾性部材５１，５２、及び調整ねじ５３，５４等で構成されたガイド部材調整機構２の動作について説明する。
【００２５】
Ｚ軸方向に昇降自在に支持されているガイド部材１５のＺ軸方向の高さは、その両端部１５ａ、１５ｂを保持する弾性部材５１、５２に設けたガイド係合部５１ｂ、５２ｂ（図２）のそれぞれの高さ位置により位置決めされる。調整ネジ５３（図４）を締め付けることにより、ガイド係合部５１ｂはベース１６に近づく方向（Ｚ軸（−）方向）に調整でき、反対に調整ネジ５３を弛めると、弾性部材５１の付勢力によりガイド係合部５１ｂはベース１６と離間する方向に変位するので、Ｚ軸（＋）方向への位置調整が可能となる。よって、調整ネジ５３の回転により、ガイド係合部５１ｂをＺ軸方向に昇降させることができ、ガイド部材１５の端部１５ａの高さ調整をすることが可能となる。
【００２６】
同様に調整ネジ５４（図５）を締め付けることにより、ガイド係合部５２ｂはベース１６に近づく方向（Ｚ軸（−）方向）に調整でき、反対に調整ネジ５４を弛めると、弾性部材５２の付勢力によりガイド係合部５２ｂはベース１６と離間する方向に変位するので、Ｚ軸（＋）方向への位置調整が可能となる。よって、調整ネジ５４の回転により、ガイド係合部５２ｂをＺ軸方向に昇降させることができ、ガイド部材１５の端部１５ｂの高さ調整をすることが可能となる。
【００２７】
なお、ガイド部材１５の高さ調整をした後は、ガイド係合部５１ｂとガイド部材端部１５ａの係合部、およびガイド係合部５２ｂとガイド部材端部１５ｂの係合部にわずかに残るすきまを接着剤等で埋めて両者を固着する。これにより装置使用時に外部から振動が伝達された場合も、その位置決め状態が変化するのを防ぐことが可能となる。
【００２８】
以上のように、実施の形態１のガイド部材調整機構２によれば、弾性部材５１，５２の形状によって、ガイド部材１５の高さを調整する調整ねじ５３，５４の設定位置を比較的自由に設定できる。また弾性部材５１，５２が、ガイド部材１５に係合するガイド係合部と、これを付勢するためのばね部とを備えるため、構成を簡素化することができる。
【００２９】
実施の形態２．
図６から図８は、本発明による光ディスク装置の駆動機構部におけるガイド部材調整機構の実施の形態２の構成を示した図で、図６はこのガイド部材調整機構４を含む駆動機構部３を裏面から見た全体斜視図、図７は図６をＹ軸の（−）方向からみた側面図、そして図８は図６のガイド部材調整部の要部拡大斜視図である。この図８では、構成の理解のために支持部材４１を省いている。
【００３０】
尚、これらの各図に示されるＸ，Ｙ，Ｚの各軸の方向は、各図間で共通するように設定し、前記実施の形態１の場合と同様に、光ピックアップ８の移動方向にＹ軸を設定し、このＹ軸と直交する、スピンドルモータ１１（図１）の回転軸方向にＺ軸を設定し、そしてこれら両軸に直交する方向にＸ軸を設定している。
【００３１】
本実施の形態のガイド部材調整機構４が前記した実施の形態１のガイド部材調整機構２と異なる点は、弾性部材６５の形状である。従って、本実施の形態において使用される弾性部材６５と関係する部分の構成について重点的に説明し、実施の形態１のガイド部材調整機構２及びその他と同じ構成を有する個所については同符号を付してそれらの説明を省略する。
【００３２】
ここでは弾性部材６５のガイド先端保持部６５ａに設けたガイド係合部６５ｂが穴ではなく、その一部が開放された切り欠きとなっている。さらにガイド先端保持部６５ａの一端に弾性を有するガイド押圧部６５ｅが形成されている。このガイド押圧部６５ｅは、ガイド部材端部１５ａをガイド係合部６５ｂに挿入した時に、その弾性により、ガイド部材端部１５ａをガイド係合部６５ｂの切り欠き端面６５ｆに付勢する位置に配置されている。
尚、Ｚ軸方向に昇降自在に支持されているガイド部材１５のＺ軸方向の高さ調整方法は、前記実施の形態１の場合と同一であるため、その説明を省略する。
【００３３】
また、上記実施の形態２では、ガイド係合部６５ｂとガイド部材端部１５ａとの係合を、ガイド押圧部６５ｅの弾性力で、ガイド部材端部１５ａをガイド係合部６５ｂの切り欠き端面６５ｆに付勢するように圧接して行ったが、これを図９及び図１０に示すように別の実施例の構成で行ってもよい。
【００３４】
図９はガイド部材取付け前のガイド押圧部６５ｅ付近の拡大図であり、図１０はガイド部材取付け後のガイド押圧部６５ｅ付近の拡大図である。図９において、ガイド押圧部６５ｅは、ガイド部材端部１５ａをガイド係合部６５ｂに挿入した時に、ガイド部材端部１５ａと接触しない位置に配置されている。ガイド部材端部１５ａをガイド係合部６５ｂに挿入後、外部からの治工具の作用力によりガイド押圧部６５ｅを図１０のように塑性変形させ、ガイド部材端部１５ａを常にガイド係合部６５ｂの切り欠き端面６５ｆに付勢する。これにより、上記の実施の形態２の場合と同等の効果を得ることができる。
【００３５】
以上の様に、実施の形態２のガイド部材調整機構２によれば、ガイド部材端部１５ａが、ガイド押圧部６５ｅの弾性力により、常にガイド係合部６５ｂの切り欠き端面６５ｆに付勢されているので、前記実施の形態１で示した接着剤等による固着を実施しなくても、装置使用時に外部から振動が伝達された場合の、位置決め状態の変化や、ガタつきを防ぐことが可能となる。
【００３６】
実施の形態３．
図１１及び図１２は、本発明による光ディスク装置のガイド部材調整機構の実施の形態３の構成を示したガイド部材調整部の要部斜視図である。
【００３７】
尚、これらの各図に示されるＸ，Ｙ，Ｚの各軸の方向は、各図間で共通するように設定し、前記実施の形態１の場合と同様に、光ピックアップ８の移動方向にＹ軸を設定し、このＹ軸と直交する、スピンドルモータ１１（図１）の回転軸方向にＺ軸を設定し、そしてこれら両軸に直交する方向にＸ軸を設定している。
【００３８】
本実施の形態のガイド部材調整機構５が前記した実施の形態１のガイド部材調整機構２と異なる点は、ガイド支持部１６ｅの構成である。従って、本実施の形態におけるガイド支持部１６ｅと関係する部分の構成について重点的に説明し、実施の形態１のガイド部材調整機構２及びその他と同じ構成及び動作をする個所については同符号を付して、或いは図示せずにそれらの説明を省略する。
【００３９】
上記実施の形態１および２では、支持部材４１、４２（図２）をベース１６と別部材とし、ベース１６にねじ止めするように構成していたが、本実施の形態では、この支持部材４１、４２に替えて、ベース１６と一体化したガイド支持部１６ｅを形成している。図１１は、このガイド支持部１６ｅの形状を示す斜視図で、このガイド支持部１６ｅに形成され、実施の形態１における支持部材４１（図２）のガイド穴４１ｂに対応するガイド穴１６ｆに、ガイド部材１５の端部１５ａが嵌合している状態を示している。
【００４０】
更に、図１２は、前記した弾性部材５１が、その係合部５１ｂがガイド部材１５の端部１５ａと係合するように配設されて、ガイド部材調整部が完成した状態を示している。この状態におけるガイド部材１５のＺ軸方向の高さ調整方法は、前記実施の形態１の場合と同一であるため、その説明を省略する。
【００４１】
以上のように、実施の形態３のガイド部材調整機構によれば、ガイド支持部１６ｅをベース１６と一体形成することにより、部品点数の削減が図れる。
【００４２】
【発明の効果】
請求項１のディスク装置によれば、弾性部材の形状を考慮することによって、ガイド部材の高さを調整する調整ねじの設定位置をガイド部材の延長上に限らず比較的自由に設定できるため、光ピックアップ移動機構の形状を、限られたスペースに効率よく合わせて設計する自由度が増える。また、弾性部材自身がガイド部材と係合して作用する構成とするため、構成が簡潔になって部品点数を削減することができる。
【００４３】
請求項２、３のディスク装置によれば、請求項１の効果に加え、ガイド部材をガタつきなく保持できるため、接着剤を使用することなく外部振動等の要因による位置決め変化を防止することができる。
【００４４】
請求項４のディスク装置によれば、請求項１の効果に加え、ガイド支持部をベースと一体形成することにより、部品点数が削減されて更に組立工程数を減らすことができる。
【図面の簡単な説明】
【図１】  本発明による光ディスク装置の実施の形態１のガイド部材調整機構２を含む駆動機構部１を裏面から見た全体斜視図である。
【図２】  図１の分解斜視図である。
【図３】  図１のガイド部材の支持構造を示す要部斜視図である。
【図４】  図１の一つのガイド部材調整部を示す斜視図である。
【図５】  図１のもう一つのガイド部材調整部を示す斜視図である。
【図６】  本発明による光ディスク装置の実施の形態２のガイド部材調整機構４を含む駆動機構部３を裏面から見た全体斜視図である。
【図７】  図６をＹ軸の（−）方向からみた側面図である。
【図８】  図６のガイド部材調整部の要部拡大斜視図である。
【図９】  実施の形態２の他の実施例を示すガイド押圧部６５ｅ付近の拡大図である。
【図１０】  図９のガイド押圧部６５ｅにガイド部材を取付けた後の同部分の拡大図である。
【図１１】  本発明による光ディスク装置のガイド部材調整機構の実施の形態３の構成を示したガイド部材調整部の完成前の要部斜視図である。
【図１２】  図１１のガイド部材調整部の完成後の要部斜視図である。
【図１３】  ディスクの載置面を下方に向けて配置した状態を示す従来装置の全体斜視図である。
【図１４】  従来装置のガイド部材調整機構の断面図である。
【図１５】  従来装置のガイド部材調整機構の分解斜視図である。
【符号の説明】
１，３  駆動機構部、  ２，４，５  ガイド部材調整機構、  ８  光ピックアップ、  １１  スピンドルモータ、  １４，１５  ガイド部材、  １５ａ，１５ｂ  端部、  １６  ベース、  １６ｃ，１６ｄ  雌ねじ部、  １６ｅ  ガイド支持部、  １６ｆ  ガイド穴、  ３５ａ，３５ｂ，３５ｃ  支持台、  ３６ａ，３６ｂ，３６ｃ  止めねじ、  ４１，４２  支持部材、  ４１ａ，４１ａ  ガイド支持部、  ４１ｂ，４２ｂ  ガイド穴、  ４３ａ，４３ｂ  止めねじ、  ５１，５２，６５  弾性部材、  ５１ａ，５２ａ，６５ａ  ガイド先端保持部、  ５１ｂ，５２ｂ，６５ｂ  ガイド係合部、  ５１ｃ，５２ｃ，６５ｃ  ばね部、  ５１ｄ，５２ｄ，６５ｄ  固定部、  ５３，５４  調整ねじ、  ５５ａ，５５ｂ，５６ａ，５６ｂ，６２，６４  止めねじ、  ６１  板ばね、  ６３  与圧ばね、６５ｅ  ガイド押圧部、  ６５ｆ  切り欠き端面。
【図１】
0003976510.tif 000002
【図２】
0003976510.tif 000003
【図３】
0003976510.tif 000004
【図４】
0003976510.tif 000005
【図５】
0003976510.tif 000006
【図６】
0003976510.tif 000007
【図７】
0003976510.tif 000008
【図８】
0003976510.tif 000009
【図９】
0003976510.tif 000010
【図１０】
0003976510.tif 000011
【図１１】
0003976510.tif 000012
【図１２】
0003976510.tif 000013
【図１３】
0003976510.tif 000014
【図１４】
0003976510.tif 000015
【図１５】
0003976510.tif 000016